(57)【要約】【課題】自立性の無いレンズシートに対する横方向（水平方向）の張力付与を一層確実にして、表示画面に装着するために使用されている筐体（フレーム），固定ジグの大幅な変更を要さず、比較的簡便な構造で、しわ，たるみが生じにくく安定して取り付けられる透過型スクリーンの固定方法を提案する。【解決手段】レンチキュラーシートの上辺では、少なくともレンチキュラーシートの片面に短冊状の補強部材が上辺全体に沿って貼着しており、レンチキュラーシートの下辺では、下辺に沿う両面粘着テープにより、レンチキュラーシートとフレネルレンズシートとが貼着されており、フレネルレンズシートの重さにより、レンチキュラーシートには下方に張力が付与された構造となっていることを特徴とする透過型プロジェクションスクリーン。【選択図】図３
2007041344.tif 000002
【特許請求の範囲】
【請求項１】
フレネルレンズシートとレンチキュラーシートとを重ね合わせて、その周囲をフレームに支持・固定して透過型プロジェクション・ディスプレイの表示画面に装着される透過型スクリーンにおいて、
レンチキュラーシートは、透光性基材フィルム表面に放射線硬化型樹脂の硬化物によりシリンドリカルレンズ群からなるレンズ部が形成されており、全体として可撓性を有する構成であり、
フレネルレンズシートは、透光性基材フィルム表面に放射線硬化型樹脂の硬化物によりレンズ部が形成されており、反レンズ部側の前記フィルム表面には、光拡散機能を有するシートが積層一体化され、全体として可撓性を有さず、レンチキュラーシートに比較して剛性および厚さの大きい構成であり、
レンチキュラーシートの上辺では、少なくともレンチキュラーシートの片面に短冊状の補強部材が上辺全体に沿って貼着しており、
レンチキュラーシートの下辺では、下辺に沿う両面粘着テープにより、レンチキュラーシートとフレネルレンズシートとが互いのレンズ部側の面で貼着されており、
フレームの上辺では、上記のフレネルレンズシートとレンチキュラーシートとを、レンチキュラーシートはフレーム上辺に密着固定される様に、保持部材を介して押さえており、
フレームの下辺では、フレーム上辺から吊り下げられたフレネルレンズシートとレンチキュラーシートの下辺は自由端となった状態で、保持部材を介して押さえており、
フレネルレンズシートの重さにより、レンチキュラーシートには下方に張力が付与された構造となっていることを特徴とする透過型プロジェクションスクリーン。
【請求項２】
短冊状の補強部材は、レンチキュラーシートの上辺端部から１０ｍｍ以上の幅の領域で接触した状態で貼着していることを特徴とする請求項１記載の透過型プロジェクションスクリーン。
【請求項３】
レンチキュラーシートの上辺では、少なくともレンチキュラーシートの片面に両面粘着テープを介して短冊状の補強部材が貼着した状態で、レンチキュラーシートと補強部材とが、断面がコの字型になる様にクリップにより固定されており、
レンチキュラーシートの下辺では、下辺に沿う両面粘着テープにより、レンチキュラーシートとフレネルレンズシートとが互いのレンズ部側の面で貼着されていると共に、断面がコの字型になる様にクリップにより固定されている構成であることを特徴とする請求項１または２に記載の透過型プロジェクションスクリーン。
【請求項４】
レンチキュラーシートと補強部材とが、断面がコの字型になる様にクリップにより固定される箇所では、補強部材の表面にクリップの厚みに応じた凹部が形成されている構成であることを特徴とする請求項１〜３の何れかに記載の透過型プロジェクションスクリーン。
【請求項５】
レンチキュラーシートの上辺では、短冊状の補強部材が上辺全体に沿って貼着してなく、
レンチキュラーシートと補強部材とが、断面がコの字型になる様にクリップにより固定される箇所を除いて、間欠的に短冊状の補強部材が貼着された構成であることを特徴とする請求項１〜３の何れかに記載の透過型プロジェクションスクリーン。
【請求項６】
短冊状の補強部材が貼着されたレンチキュラーシートをフレームの上辺に密着固定する手段としては、
両面粘着テープによる接合，ビスあるいはボルトによる固定，弾性体を介してフレーム上方から吊り下げる手法の少なくとも何れかから選択されることを特徴とする請求項１〜５の何れかに記載の透過型プロジェクションスクリーン。
【請求項７】
短冊状の補強部材が貼着されたレンチキュラーシート側に面するフレームの上辺の内壁面には、前記補強部材の厚みに応じた凹部が形成されており、前記凹部に前記補強部材を嵌合することにより、レンチキュラーシートをフレームの上辺にフックした状態で吊り下げた構成であることを特徴とする請求項１〜５の何れかに記載の透過型プロジェクションスクリーン。
【請求項８】
レンチキュラーシートをフレーム上辺に密着固定するための保持部材は、
フレーム上方で、ビスあるいはボルトによりフレームと強固に固定されると共に、
レンチキュラーシートに貼着された短冊状の補強部材とも、ビスあるいはボルトにより強固に固定され、前記補強部材をさらに補強しており、
さらにフレネルレンズシートも含めて、フレーム上辺に押さえつけた構成であることを特徴とする請求項１〜７の何れかに記載の透過型プロジェクションスクリーン。
【発明の詳細な説明】
【技術分野】
【０００１】
本発明は、透過型プロジェクションＴＶ（透過型ＴＶ，リア・プロジェクションＴＶ，背面投射型ＴＶなど、各種の呼び方があるが、全て同義語である）に代表されるディスプレイに用いられるスクリーンの改良に関する。
特に、フレネルレンズシートとレンチキュラーシートを重ね合わせてなる構成のスクリーンのうち、一方のシートが自立性の無い（可撓性を有する）フレキシブルな基材で構成されている場合、表示画面に装着するために使用されている筐体（フレーム），固定ジグの大幅な変更を要さず、比較的簡便な構造で安定して取り付けられるスクリーンの固定方法に関する。
【背景技術】
【０００２】
フレネルレンズシートもレンチキュラーシートも自立性を有する構造である場合の透過型プロジェクションスクリーンでは、双方のレンズシートを筐体内側凹部に重ね合わせて挿入し、別部材のジグを用いて固定する。
ここで、自立性があるとは、形状を保持したまま起こすことが可能なほどの剛性を有していることを云う。
図１は、従来の固定方法の一例を示すもので、レンチキュラーシート１，フレネルレンズシート２を筐体（フレーム）３の凹部（筐体枠）に置き、保持部材４を介してねじ５を
用いて固定する。
尚、同図では、左側が観察者側となり、右側がプロジェクタを備えるＴＶキャビネット側となる。
【０００３】
図１では、フレネルレンズシート２やレンチキュラーシート１の材質や筐体（フレーム）３の材質との関係もあるが、フレネルレンズシート２もレンチキュラーシート１もそれらの材質の熱膨張係数の大きな違いが無く、厚みが同じ程度であれば、フレネルレンズシート２とレンチキュラーシート１とを重ね合わせて、粘着テープ（図示せず）で固定した後、筐体（フレーム）３へ固定しても、温度変化や湿度変化に応じてフレネルレンズシートとレンチキュラーシートとの間の浮き，反りなどが生じても、常温環境下に放置すると、元の状態に戻るようになる。
【０００４】
一方、レンチキュラーシートとフレネルレンズシートを用いた透過型プロジェクションスクリーンについては、光学特性を向上させるため、薄型化が進んでいる。
レンチキュラーシートについては、映像源の高精細化に伴いファインピッチ化を図る必要があり、ファインピッチ化に伴い、光学特性上、必然的に薄板化となるためであり、
フレネルレンズシートについては、板厚が厚いと迷光による二重像が発生するため、薄板化が必要であることによる。
この薄板化が進むと、レンチキュラーレンズシートとフレネルレンズシートの２枚構成だけでは、スクリーン外側から外力が加わった際、剛性不足により、簡単にスクリーンが枠からはずれたりてしまったり、スクリーンが破損してしまうといった問題を招いている。
昨今、自立性の無い（可撓性を有する）フレキシブルな基材からなるフレネルレンズシートやレンチキュラーシートを用いたスクリーンの開発が行われており、少なくとも一方のレンズシートが可撓性を有する場合、ＴＶにアセンブリするにあたって、上記に加えて、以下に挙げる弊害を解消した取り付け方法（固定方法）が求められる。
【０００５】
一方のレンズシートが自立性のない基材で、他方のレンズシートが自立性のある基材で構成されたプロジェクションスクリーンでは、二辺または四辺が接着剤あるいは粘着剤で固定されていると、温度変化や湿度変化による膨張や収縮で、自立性のない方のレンズシートにしわや浮きが生じてしまい、透過型プロジェクションＴＶに組み込んだ状態では、経時的なフォーカスのボケや色ずれが生じることになり、画像劣化を招くという問題を有している。
【０００６】
上記のレンズシート組み合わせ（一方の自立性がなく、他方の自立性がある場合）からなるスクリーンを想定した取り付け方法（固定方法）に関する出願としては、以下の案件が公知であり、それぞれの概要を記す。
【特許文献１】特開平１０−２４６９１８号公報
【特許文献２】特開平１１−２７１８８３号公報
【特許文献３】特開２００４−９４１４７号公報
【特許文献４】特開２００４−１１８１６６号公報
【０００７】
＜特許文献１＞
フレネルレンズシートとレンチキュラーレンズシートとを組み合わせてなる透過型スクリーンにおいて、
レンチキュラーレンズシートが、剛性の不十分な透明基材フィルム上に、光硬化型樹脂又は放射線硬化型樹脂の硬化物からなるレンズ部が形成されており、
前記レンチキュラーレンズシートの側縁部とスクリーンの保持枠とを熱収縮性を有する合成樹脂フィルムを介して接合、固定した構成であることを特徴とする画像投影用スクリーン。（請求項１）
【０００８】
＜特許文献２＞
温度、湿度の変化で伸縮する複数のスクリーンから構成され、映像発生源より発せられた映像光が投写される透過形スクリーンにおいて、
第１のスクリーンと、前記第１のスクリーンより相対的に低剛性の第２のスクリーンとを備え、前記第１のスクリーンに高温又は／且つ高湿中にて伸長した状態の第２のスクリーンを固定したことを特徴とする透過形スクリーン。（請求項１）
【０００９】
＜特許文献３＞
フレネルレンズとレンチキュラーレンズとを重ねて構成されるスクリーンを、透過型リアクションスクリーンテレビの筐体枠に固定する方法であって、
重ね合わされたフレネルレンズとレンチキュラーレンズの周辺に、片面粘着テープをコの字型に貼ることで、フレネルレンズとレンチキュラーレンズとをスクリーンとして一体化して固定し、
スクリーンを筐体枠に加圧せずに固定することを特徴とするスクリーンの固定方法。（請求項１）
【００１０】
＜特許文献４＞
フレネルレンズシートとレンチキュラーレンズシートを重ね合わせ、周囲を筐体枠と保持具で支持、固定した透過型リアプロジェクションスクリーンにおいて、
前記フレネルレンズシート、またはレンチキュラーレンズシートのいずれか一方が自立性を有する基材からなるレンズシート（２）と、他方が自立性のない基材からなるレンズシート（１）とで構成されており、前記自立性のない基材からなるレンズシート（２）と前記自立性を有する基材からなるレンズシート（１）とは下部端縁が弾性接着層（３１）で固定され、前記自立性のない基材からなるレンズシート（１）の上部端縁と保持テープ（３０）の一方の端部とが接着層（４１）にて固定され、前記保持テープ（３０）の他方の端部が筐体枠（１１ａ）に接着層（４２）を介して保持具（１２ａ）及びネジ（１３）にて連結・固定されて、
前記自立性のない基材からなるレンズシート（２）の一端が保持テープ（３）で吊り下げられた状態で筐体枠（１１ａ）と保持具（１２ａ）との間及び筐体枠（１１ｂ）と保持具（１２ｂ）との間とで保持されていることを特徴とする透過型リアプロジェクションスクリーン。（請求項１：図２参照）
【発明の開示】
【発明が解決しようとする課題】
【００１１】
上記の特許文献２に開示される手法では、予め自立性の無いレンズシートを高温又は／且つ高湿中にて伸長した状態としてから、自立性を有するレンズシートに接合することにより、これ以上には伸びない自立性の無いレンズシートは、ＴＶセットに装着後は、常に収縮しようとする方向に張力がかかるため、しわ，たるみが無くレンズシートが張った状態が維持されるが、高温又は／且つ高湿中にて伸長する工程を要する。
【００１２】
上記の特許文献１，３，４に開示される手法では、自立性を有するレンズシートと自立性の無いレンズシートとを、熱収縮性を有する合成樹脂フィルム（特許文献１），片面粘着テープ（特許文献３），保持テープ（特許文献４）などの可撓性を有するフィルム状部材を介して接合しており、重力の働かない横方向（水平方向）でのレンズシートに対する張力付与が不十分である。
すなわち、レンズシートに横方向（水平方向）のしわやたるみが生じるような外力が働いた場合、接合するフィルム状部材も含めてレンズシートにしわやたるみが生じる可能性がある。
【００１３】
本発明では、自立性の無いレンズシートに対する横方向（水平方向）の張力付与を一層確実にして、表示画面に装着するために使用されている筐体（フレーム），固定ジグの大幅な変更を要さず、比較的簡便な構造で、しわ，たるみが生じにくく安定して取り付けられるスクリーンの固定方法を提案することを目的とする。
【課題を解決するための手段】
【００１４】
上記目的を達成するために、本発明による透過型プロジェクションスクリーンでは、
フレネルレンズシートとレンチキュラーシートとを重ね合わせて、その周囲をフレームに支持・固定して透過型プロジェクション・ディスプレイの表示画面に装着される透過型スクリーンにおいて、
レンチキュラーシートは、透光性基材フィルム表面に放射線硬化型樹脂の硬化物によりシリンドリカルレンズ群からなるレンズ部が形成されており、全体として可撓性を有する構成であり、
フレネルレンズシートは、透光性基材フィルム表面に放射線硬化型樹脂の硬化物によりレンズ部が形成されており、反レンズ部側の前記フィルム表面には、光拡散機能を有するシートが積層一体化され、全体として可撓性を有さず、レンチキュラーシートに比較して剛性および厚さの大きい構成であり、
レンチキュラーシートの上辺では、少なくともレンチキュラーシートの片面に短冊状の補強部材が上辺全体に沿って貼着しており、
レンチキュラーシートの下辺では、下辺に沿う両面粘着テープにより、レンチキュラーシートとフレネルレンズシートとが互いのレンズ部側の面で貼着されており、
フレームの上辺では、上記のフレネルレンズシートとレンチキュラーシートとを、レンチキュラーシートはフレーム上辺に密着固定される様に、保持部材を介して押さえており、
フレームの下辺では、フレーム上辺から吊り下げられたフレネルレンズシートとレンチキュラーシートの下辺は自由端となった状態で、保持部材を介して押さえており、
フレネルレンズシートの重さにより、レンチキュラーシートには下方に張力が付与された構造となっていることを特徴とする。
【発明の効果】
【００１５】
本発明による透過型プロジェクションスクリーンでは、
自立性の無い（可撓性を有する）レンチキュラーシートの上辺では、少なくともレンチキュラーシートの片面に短冊状の補強部材が貼着しており、横方向（水平方向）でのしわ，たるみの発生が妨げられる。
縦方向（垂直方向）については、レンチキュラーシートに比較して剛性および厚さの大きいフレネルレンズシートと抱き合わせて吊り下げた構造であり、フレネルレンズシートの重さにより、レンチキュラーシートには下方に張力が付与されるため、縦方向（垂直方向）でのしわ，たるみの発生も妨げられる。
【発明を実施するための最良の形態】
【００１６】
以下、本発明の実施形態（実施例）について、図面に基づいて詳細に説明する。
＜実施例１＞
図３は、本発明の実施例１に係るスクリーンの取り付け方法（固定方法）の概略を示す断面説明図である。
レンチキュラーシートは、透光性基材フィルム表面に放射線硬化型樹脂の硬化物によりシリンドリカルレンズ群からなるレンズ部が形成されており、全体として可撓性を有する構成であり、
フレネルレンズシートは、透光性基材フィルム表面に放射線硬化型樹脂の硬化物によりレンズ部が形成されており、反レンズ部側の前記フィルム表面には、光拡散機能を有するシートが積層一体化され、全体として可撓性を有さず、レンチキュラーシートに比較して剛性および厚さの大きい構成であるが、同図では、レンチキュラーシート，フレネルレンズシート共に、簡略化して厚さの相違する単層構成のレンズシートとして図示している。
【００１７】
両レンズシートの厚さの比としては、フレネルレンズシート（Ｆ）：レンチキュラーシート（Ｌ）が、（Ｆ／Ｌ）≧１．５が好適であり、両者の差が大きいほど、自立性を有する側のレンズシートの重量を利用して、他方（自立性の無い）側のレンズシートに張力を付与する作用が大きく働くことになる。
両レンズシートの比重も、両者の材質に大きな相違がなければ、（Ｆ／Ｌ）≧１．５程度となる。
【００１８】
レンチキュラーシートの上辺では、レンチキュラーシートの片面（同図では、観察者側となる右側）に短冊状の補強部材が上辺全体に沿って、両面テープにより貼着されている。
同図では、補強部材としてアクリル板が用いられているが、補強部材はそれに限定されるものではなく、可撓性を有するレンチキュラーシートにしわやたるみが生じるのを妨げる強度（厚さや剛性に依存する）が要求され、金属の採用も可能であるが、スクリーンの取り付け構造上、軽量である方が好ましい。
【００１９】
レンチキュラーシートの下辺では、下辺に沿う両面粘着テープにより、レンチキュラーシートとフレネルレンズシートとが貼着されており（詳しくは図示しないが、両者は互いのレンズ部側の面を向かい合わせて対向するのが一般的である）、
フレームの上辺では、上記のフレネルレンズシートとレンチキュラーシートとを、レンチキュラーシートはフレーム上辺に密着固定される様に、保持部材を介して押さえており、
フレームの下辺では、フレーム上辺から吊り下げられたフレネルレンズシートとレンチキュラーシートの下辺は自由端となった状態で、保持部材を介して押さえており、
フレネルレンズシートの重さにより、レンチキュラーシートには下方に張力が付与された構造となっている。
【００２０】
紙面垂直方法に長手方法が伸びる短冊状の補強部材（アクリル板）は、レンチキュラーシートの上辺端部から１０ｍｍ以上の幅の領域で接触した状態で貼着していることが好ましい。
可撓性を有するレンチキュラーシートに対して、補強部材（アクリル板）の接触面積が確保されていると、レンチキュラーシートにしわやたるみが生じるのを妨げる上で有効であり、特に大画面の透過型プロジェクションＴＶ（対角３０インチ以上）の画面サイズに相当するレンチキュラーシートでは、上辺から２０ｍｍ前後の接触幅があると、経時的な安定性（高温／高湿実験などへの耐環境特性）が十分であることが、実験により確認されている。
【００２１】
レンチキュラーシートの上辺では、レンチキュラーシートと補強部材（アクリル板）とが、断面がコの字型になる様にクリップにより固定されており、
レンチキュラーシートの下辺でも、断面がコの字型になる様にクリップにより固定されている構成である。
【００２２】
短冊状の補強部材（アクリル板）が貼着されたレンチキュラーシートをフレームの上辺に密着固定するにあたっては、両面粘着テープによる接合，ビスあるいはボルトによる固定，弾性体を介してフレーム上方から吊り下げる手法の少なくとも何れかから選択されるが、
本実施例では、図示のように、保持部材とレンチキュラーシートを貫通したボルトによる固定が採用され、保持部材はフレネルレンズシートも含めてスクリーンをフレームに押し当てている。
【００２３】
＜実施例２＞
図４は、本発明の実施例２に係るスクリーンの取り付け方法（固定方法）の概略を示す断面説明図である。
実施例１（図３）との相違は、短冊状の補強部材（アクリル板）が貼着されたレンチキュラーシートをフレームの上辺に密着固定するにあたって、両面粘着テープによる接合が採用されている点と、レンチキュラーシートを貫通していないボルトが保持部材とフレームの上辺を固定している点にある。
【００２４】
本実施例では、レンチキュラーシートをフレーム上方から吊り下げるにあたっての直接の固定手段は、両面粘着テープの粘着力に依存しているが、粘着力の経時的な低下を考慮した場合、粘着剤は、天然ゴムでは接着力が弱いので、アクリル系，シリコーン系，合成ゴム系が望ましい。
【００２５】
実施例１，２では、
レンチキュラーシートでは、透光性基材フィルムとして、材質：ＰＥＴフィルムの厚みが１８８μｍのものを用い、
フレネルレンズシートでは、透光性基材フィルムとして、拡散剤が分散混合されてなる材質：アクリル板の厚みが２．０ｍｍのものを用いた。
可撓性を有する範囲内でのレンチキュラーシートのしわ，たるみを少なくする上では、透光性基材フィルムの厚さを大きくしたり、剛性の高い材質のものを用いるなど、適宜に選択されるが、上述の様に、両者の厚さの比は、（Ｆ／Ｌ）≧１．５が好適である。
【００２６】
また、実施例１，２に示す様に、レンチキュラーシートと補強部材（アクリル板）とをクリップで固定する場合、レンチキュラーシートの上辺がフレームの上辺と接触する部分では、クリップの厚みに応じた突起が生じるため、補強部材とフレームとが全面に渡って一様に接触しづらいという不都合が生じる。
【００２７】
そのため、レンチキュラーシートと補強部材とがクリップにより固定される箇所では、補強部材の表面にクリップの厚みに応じた凹部（座ぐり）が形成されていると、補強部材とフレームとが全面に渡って一様に接触する。
【００２８】
あるいは、レンチキュラーシートの上辺では、短冊状の補強部材が上辺全体に沿って貼着しておらず、レンチキュラーシートと補強部材とがクリップにより固定される箇所を除いて、間欠的に短冊状の補強部材が貼着された構成とし、レンチキュラーシートとフレームとは、クリップのない補強部材表面で両面粘着テープにより貼着しても良い。
【００２９】
以降は、本発明の実施形態の各種変形例である。
スクリーンを装着するフレーム下辺部分は除き、フレーム上辺部分について、概略を図示の上、構造を説明する。
図中に符号などでの説明を省略するが、左側の厚いレンズシートがフレネルレンズシートであり、右側の薄いレンズシートがレンチキュラーシートである。
【００３０】
＜実施例３：図５参照＞
レンチキュラーシートと補強部材とを両面粘着テープで固定し、両者をクリップで固定せずに、両面粘着テープを用いてフレーム上辺に接合する。
【００３１】
＜実施例４：図６参照＞
補強部材は、レンチキュラーシートのプロジェクタ側の面で両面粘着テープで固定し、弾性体を用いてレンチキュラーシートをフレーム上方から吊り下げる。
弾性体としては、図示の様にコイルバネが用いられたり、ゴム材料などが用いられる。
上記構造の採用により、レンチキュラーシートを上方にテンションをかけることが出来、フレネルレンズシートの重量による下方への張力付与と併せて、レンチキュラーシートの上下方向での張りが一層強化される。
【００３２】
＜実施例５：図７参照＞
補強部材は、レンチキュラーシートの観察者側／プロジェクタ側の双方の面で両面粘着テープで固定し、表裏の補強部材を、２つの弾性体を用いてフレーム上方から吊り下げる。
表裏の補強部材は、レンチキュラーシートとの接合を強固にするため、ネジ（ボルト）を通して固定する。
【００３３】
＜実施例６：図８参照＞
実施例２で、補強部材は、レンチキュラーシートのプロジェクタ側の面で両面粘着テープで固定したタイプの変形。
【００３４】
＜実施例７：図９参照＞
実施例２で、補強部材は、レンチキュラーシートの観察者側／プロジェクタ側の双方の面で両面粘着テープで固定したタイプの変形。
観察者側の補強部材は、レンチキュラーシートの上辺の全面に渡って貼着される必要はなく、同図でクリップされる箇所では間隔を空けて間欠的に貼着しても良い。
【００３５】
＜実施例８：図１０参照＞
補強部材が貼着されたレンチキュラーシート側に面するフレームの上辺の内壁面には、補強部材の厚みに応じた凹部が形成されており、前記凹部に補強部材を嵌合することにより、レンチキュラーシートをフレームの上辺にフックした状態で吊り下げた構造。
補強部材を、フレームの上辺の内壁面と両面粘着テープで固定したタイプと比べて、両面粘着テープの粘着力の低下に伴うレンチキュラーシートの落下が回避される。
【００３６】
＜実施例９：図１１参照＞
レンチキュラーシートに補強部材を両面粘着テープで固定し、クリップで補強する。
さらに、レンチキュラーシートとの接合を強固にするため、ネジ（ボルト）を通して固定する。
ネジ（ボルト）の頭やクリップが面するフレームの上辺の内壁面側にあたる位置には、それらが嵌合する凹部（座ぐり）を形成しておく。
【００３７】
＜実施例１０：図１２参照＞
レンチキュラーシートに補強部材を両面粘着テープで固定し、クリップで補強する。
保持部材に至るまで、レンチキュラーシートと補強部材をフレーム側からネジで固定する。
保持部材およびフレームには、クリップやネジが面する内壁面側にあたる位置には、それらが嵌合する凹部（座ぐり）を形成しておく。
【００３８】
＜実施例１１：図１３参照＞
レンチキュラーシートに補強部材を両面粘着テープで固定する。
保持部材側から補強部材に至るまでネジで固定する。
【００３９】
以上の実施例に係るサンプル（スクリーン＋フレーム）を、６０℃環境下に１時間放置し、２３℃環境下に２４時間放置してから外観検査をした結果、何れのサンプルにも、レンチキュラーシートには、しわやたるみの発生が確認されず、耐環境特性が良好であった。
尚、以上の実施例以外にも、弾性体，クリップ，ネジなどの組合せに応じて各種の変形例が考えられるが、本発明の主旨を逸脱しない範囲内での改良あるいは変形は、適宜に行なわれる。
【図面の簡単な説明】
【００４０】
【図１】従来技術に係る透過型スクリーン（の取り付け方法）の一例を示す説明図。
【図２】従来技術に係る透過型スクリーン（の取り付け方法）の一例を示す説明図。
【図３】本発明による透過型スクリーン（の取り付け方法）の一例を示す説明図。
【図４】本発明による透過型スクリーン（の取り付け方法）の一例を示す説明図。
【図５】本発明による透過型スクリーン（の取り付け方法）の一例を示す説明図。
【図６】本発明による透過型スクリーン（の取り付け方法）の一例を示す説明図。
【図７】本発明による透過型スクリーン（の取り付け方法）の一例を示す説明図。
【図８】本発明による透過型スクリーン（の取り付け方法）の一例を示す説明図。
【図９】本発明による透過型スクリーン（の取り付け方法）の一例を示す説明図。
【図１０】本発明による透過型スクリーン（の取り付け方法）の一例を示す説明図。
【図１１】本発明による透過型スクリーン（の取り付け方法）の一例を示す説明図。
【図１２】本発明による透過型スクリーン（の取り付け方法）の一例を示す説明図。
【図１３】本発明による透過型スクリーン（の取り付け方法）の一例を示す説明図。
【符号の説明】
【００４１】
１  レンチキュラーシート
２  フレネルレンズシート
３  筐体（フレーム）
４  保持部材
５  ねじ
６  粘着テープ
【図１】
2007041344.tif 000003
【図２】
2007041344.tif 000004
【図３】
2007041344.tif 000005
【図４】
2007041344.tif 000006
【図５】
2007041344.tif 000007
【図６】
2007041344.tif 000008
【図７】
2007041344.tif 000009
【図８】
2007041344.tif 000010
【図９】
2007041344.tif 000011
【図１０】
2007041344.tif 000012
【図１１】
2007041344.tif 000013
【図１２】
2007041344.tif 000014
【図１３】
2007041344.tif 000015